【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
複数の送信先の各々について、送信先アドレスを含む送信先情報を登録する送信先情報登録手段を有する通信装置であって、
前記送信先情報登録手段に登録されている複数の送信先アドレスの少なくとも１つの指定及び送信指示に応じて画像データを添付ファイルとした電子メールデータを生成する電子メールデータ生成手段と、
前記電子メールデータを前記指定された送信先アドレスに送信する送信手段とを有し、
前記送信先情報登録手段は、複数の送信先アドレスのそれぞれについて前記電子メールデータ生成手段で生成した電子メールデータを前記送信手段で送信する際にメールサーバを経由させて送信するか、直接送信先アドレスに対応する送信先装置へ送信するかを示す送信経路情報を選択的に設定し、前記送信手段は、前記指定された送信先アドレスに対応させて前記送信先情報登録手段に設定された送信経路情報に基づいて、前記電子メールデータ生成手段で生成された電子メールデータを直接前記送信先装置へ送信、または予め定められたメールサーバを経由させて送信することを特徴とする通信装置。
【請求項２】
前記送信先アドレスは所定のドメイン情報を含む形式であり、前記送信手段が、前記送信経路情報の設定内容に基づき前記電子メールデータを直接前記送信先装置へ送信する際、予め定められたサーバから取得した前記送信先アドレスのドメイン情報に応じたアドレス情報を前記電子メールデータの送信先装置のアドレス情報として決定することを特徴とする請求項１記載の通信装置。
【請求項３】
前記送信手段が、前記決定した送信先アドレスへ送信した結果、正常に送信できなかった場合には、前記ドメイン情報に基づく他のアドレス情報を送信先装置のアドレス情報として決定することを特徴とする請求項２記載の通信装置。
【請求項４】
前記アドレス情報がDNS MXレコードに基づき決定されることを特徴とする請求項２又は請求項３記載の通信装置。
【請求項５】
前記画像データがファクシミリ用画像データであることを特徴とする請求項１乃至請求項４のいずれか１項に記載の通信装置。
【請求項６】
複数の送信先の各々について、送信先アドレスを含む送信先情報を登録する送信先情報登録手段を有する通信装置の制御方法であって、
前記送信先情報登録手段に登録されている複数の送信先アドレスの少なくとも１つの指定及び送信指示に応じて画像データを添付ファイルとした電子メールデータを生成する電子メールデータ生成ステップと、
前記電子メールデータを前記指定された送信先に送信する送信ステップとを有し、
前記送信先情報登録手段に複数の送信先アドレスのそれぞれについて前記電子メールデータ生成ステップで生成した電子メールデータを前記送信ステップで送信する際にメールサーバを経由させて送信するか、直接送信先アドレスに対応する送信先装置に送信するかを示す送信経路情報を選択的に設定し、前記送信ステップが、前記指定された送信先アドレスに対応させて前記送信先情報登録手段に設定された送信経路情報に基づいて、前記電子メールデータ生成ステップで生成された電子メールデータを直接前記送信先装置へ送信、または予め定められたメールサーバを経由させて送信することを特徴とする通信装置の制御方法。
【請求項７】
前記送信先アドレスは所定のドメイン情報を含む形式であり、前記送信ステップが、前記送信経路情報の設定内容に基づき前記電子メールデータを直接前記送信先装置へ送信する際、予め定められたサーバから取得した前記送信先アドレスのドメイン情報に応じたアドレス情報を前記電子メールデータの送信先装置のアドレス情報として決定することを特徴とする請求項６記載の通信装置の制御方法。
【請求項８】
前記送信ステップが、前記決定した送信アドレスへ送信した結果、正常に送信できなかった場合には、前記ドメイン情報に基づく他のアドレス情報を送信先装置のアドレス情報として決定することを特徴とする請求項７記載の通信装置の制御方法。
【請求項９】
前記アドレス情報がDNS MXレコードに基づき決定されることを特徴とする請求項７又は請求項８記載の通信装置の制御方法。
【請求項１０】
前記画像データがファクシミリ用画像データであることを特徴とする請求項６乃至請求項９のいずれか１項に記載の通信装置の制御方法。
【請求項１１】
コンピュータ装置を請求項１乃至請求項５のいずれか１項に記載の通信装置として機能させることを特徴とするコンピュータプログラム。
【請求項１２】
請求項１１記載のコンピュータプログラムを格納したことを特徴とするコンピュータ装置読み取り可能な記憶媒体。
【手続補正２】
【補正対象書類名】明細書
【補正対象項目名】０００３
【補正方法】削除
【補正の内容】
【手続補正３】
【補正対象書類名】明細書
【補正対象項目名】０００７
【補正方法】変更
【補正の内容】
【０００７】
【課題を解決するための手段】
すなわち、本発明の要旨は、複数の送信先の各々について、送信先アドレスを含む送信先情報を登録する送信先情報登録手段を有する通信装置であって、送信先情報登録手段に登録されている複数の送信先アドレスの少なくとも１つの指定及び送信指示に応じて画像データを添付ファイルとした電子メールデータを生成する電子メールデータ生成手段と、電子メールデータを指定された送信先アドレスに送信する送信手段とを有し、送信先情報登録手段は、複数の送信先アドレスのそれぞれについて電子メールデータ生成手段で生成した電子メールデータを送信手段で送信する際にメールサーバを経由させて送信するか、直接送信先アドレスに対応する送信先装置へ送信するかを示す送信経路情報を選択的に設定し、送信手段は、指定された送信先アドレスに対応させて送信先情報登録手段に設定された送信経路情報に基づいて、電子メールデータ生成手段で生成された電子メールデータを直接送信先装置へ送信、または予め定められたメールサーバを経由させて送信することを特徴とする通信装置に存する。
【手続補正４】
【補正対象書類名】明細書
【補正対象項目名】０００８
【補正方法】変更
【補正の内容】
【０００８】
また、本発明の別の要旨は、複数の送信先の各々について、送信先アドレスを含む送信先情報を登録する送信先情報登録手段を有する通信装置の制御方法であって、送信先情報登録手段に登録されている複数の送信先アドレスの少なくとも１つの指定及び送信指示に応じて画像データを添付ファイルとした電子メールデータを生成する電子メールデータ生成ステップと、電子メールデータを指定された送信先に送信する送信ステップとを有し、送信先情報登録手段に複数の送信先アドレスのそれぞれについて電子メールデータ生成ステップで生成した電子メールデータを送信ステップで送信する際にメールサーバを経由させて送信するか、直接送信先アドレスに対応する送信先装置に送信するかを示す送信経路情報を選択的に設定し、送信ステップが、指定された送信先アドレスに対応させて送信先情報登録手段に設定された送信経路情報に基づいて、電子メールデータ生成ステップで生成された電子メールデータを直接送信先装置へ送信、または予め定められたメールサーバを経由させて送信することを特徴とする通信装置の制御方法に存する。
【手続補正５】
【補正対象書類名】明細書
【補正対象項目名】０１５６
【補正方法】変更
【補正の内容】
【０１５６】
【発明の効果】
以上説明したように、本発明に係る通信装置によれば、送信先毎にメールサーバを経由して送信するか、しないかを選択可能とするとともに、メールサーバを経由せずに直接相手先へ送信する構成を備えたことにより、メールサーバを介さずに送信可能な宛先に対してはメールサーバを経由しないで送信できるため、メールサーバに負荷をかけることなく大きなデータを送信できるようになるという効果を奏する。